(57)【要約】【課題】特に直に商品を置いた際に、従来にない視覚効果が得られ、他の部材を用いて飾ることなく人目を惹くようなディスプレー効果が得られる陳列用台座を得る。【解決手段】一方の面に反射層を有した厚さが２ｍｍ以上の反射基板と、一方の面に半透明状で形成した模様を有した透明部材とを、該透明部材を反射基板の他方の面上に積み重ねる。または、前記透明部材を、模様が形成された一方の面と反対側の他方の面が反射基板と対向するように積み重ねる。【選択図】図４
2007061215.tif 000002
【特許請求の範囲】
【請求項１】
一方の面に反射層を有した厚さが２ｍｍ以上の反射基板と、一方の面に半透明状で形成した模様を有した透明部材とを、該透明部材を反射基板の他方の面上に積み重ねてなる陳列用台座。
【請求項２】
前記透明部材を、模様が形成された一方の面と反対側の他方の面が反射基板と対向するように積み重ねてなる、請求項１に記載の陳列用台座。
【請求項３】
一方のに反射層を有した厚さが２ｍｍ以上の反射基板と、一方の面に半透明状で形成した模様を有した透明部材とを、該透明部材を反射基板の他方の面上に積み重ねてなるブロックを複数並列してなる陳列用台座であって、前記複数のブロックが、透明部材の模様が形成された一方の面と反射基板の他方の面とが対向するように積み重ねてなるブロックと、透明部材の他方の面と反射基板の他方の面とが対向するように積み重ねてなるブロックとで構成されたことを特徴とする、陳列用台座。
【発明の詳細な説明】
【技術分野】
【０００１】
本発明は、商品を陳列するための陳列スタンドや陳列ケースの下に敷く、又は直に商品を置いたりするための陳列用台座に関するものである。
【背景技術】
【０００２】
従来より、商品（例えば筆記具等）を陳列するための陳列スタンドや陳列ケースの下に敷く、又は直に商品を置いたりするための陳列用台座については知られているが、特に直に商品を陳列用台座に置いてのディスプレーとなると、いかに商品に目を向けさせるかということで、陳列用台座の形状を特異形状にしたり、又はカラフルな布や花等を添えるなど様々な工夫がなされている。
【０００３】
しかし、こうした陳列用台座に布や花等を添えるディスプレーは、陳列用台座上に置かれた商品を実際に手に取ってみることが可能な展示場所では、添えた布や花が移動して当初のディスプレーとしてのイメージと変わってしまうので不向きである。他のディスプレーの手法として、陳列用台座と商品のみとで人目を惹くディスプレーとするために、硝子板の表面に模様を施してなる陳列用台座があるが、最近では、そうした陳列用台座も珍しくなく、人目を惹くディスプレーと言うことではその効果は薄らいできている。
【０００４】
本発明者は前記事実に鑑み、商品を陳列するための陳列スタンドや陳列ケースの下に敷く、又は直に商品を置いたりするための陳列用台座において、人目を惹くディスプレー効果が得られるような新たな陳列用台座を得ることを思い立ち検討した。その結果、陳列用台座に反射面を設けることで、陳列用台座に置いた商品と該表品が陳列用台座にて反射して形成される虚像と、陳列用台座に施された模様とが絡み合って従来にないディスプレー効果が得られることが判り、本発明に至った。
【０００５】
従来、コップ敷として用いるコースター或いは花瓶を乗せる花瓶敷等に用いる敷物材として、透明な硝子板の一面に模様を設け、この上に更に銀引き層を設け、これに裏止め層及び緩衝層を順次設けたものが実公昭４８−３２７４１号公報により提案されている。この技術の目的とするところは、公報の明細書中に記載されてあるように、硝子板がもつ冷たい感覚を排除し、模様層を浮彫りした状態で表示することができる敷物材を提供するものである。しかし、こうした模様層と反射面（銀引き層）を同一面上とした構造では、現実に商品をこの敷物材に乗せた際には、硝子板に設けた模様と敷物材に乗せた商品と敷物材で反射した商品の一部の虚像とが絡み合って形成されるディスプレー効果であって、反射面における視覚は、商品により寸断された模様と模様により寸断された商品の虚像との絡み合いからなるディスプレー効果で、本願発明者が期待しているところのディスプレー効果として満足のいくものではなかった。
【特許文献１】実公昭４８−３２７４１号公報
【発明の開示】
【発明が解決しようとする課題】
【０００６】
本発明は、特に直に商品を置いた際に、従来にない視覚効果が得られ、他の部材を用いて飾ることなく人目を惹くようなディスプレー効果が得られる陳列用台座を得ることを目的とする。
【課題を解決するための手段】
【０００７】
本発明は、
「１．一方の面に反射層を有した厚さが２ｍｍ以上の反射基板と、一方の面に半透明状で形成した模様を有した透明部材とを、該透明部材を反射基板の他方の面上に積み重ねてなる陳列用台座。
２．前記透明部材を、模様が形成された一方の面と反対側の他方の面が反射基板と対向するように積み重ねてなる、前記１項に記載の陳列用台座。
３．一方の面に反射層を有した厚さが２ｍｍ以上の反射基板と、一方の面に半透明状で形成した模様を有した透明部材とを、該透明部材を反射基板の他方の面上に積み重ねてなるブロックを複数並列してなる陳列用台座であって、前記複数のブロックが、透明部材の模様が形成された一方の面と反射基板の他方の面とが対向するように積み重ねてなるブロックと、透明部材の他方の面と反射基板の他方の面とが対向するように積み重ねてなるブロックとで構成されたことを特徴とする、陳列用台座。」
である。
【０００８】
前記反射基板は、鏡であっても良いし、硝子板や透明の合成樹脂材で形成した平板状の基板の一方の面に、銀引き層等の反射層を設けることで反射基板としたものでも良い。反射基板の厚みについて２ｍｍ以上と特定しているが、それは次の様な理由からである。
本願発明においては、反射基板上に一方の面に模様を有した透明部材を積み重ねるが、該透明部材を反射基板上にどのように（模様を有した一方の面が外側に向くように、あるいは前記一方の面が反射基板に対向するように）積み重ねても、反射基板の反射層と模様を施した透明部材の一方の面とは２ｍｍ以上の間隙があるので、模様層が浮き上がった状態に見え、かつ反射層に生じる模様の虚像により上下に模様が２つ存在するような視覚効果が得られるからである。２ｍｍ未満の間隙では、模様が２つ存在するような視覚になり難い。
【０００９】
また、透明部材の一方の面に施す模様は、着色又は表面を微細な凹凸状に形成することで半透明状とする必要がある。不透明状で形成すると、前述したように、反射面における視覚が、商品が模様により寸断された状態ではなく、半透明部から商品の形状がぼんやりと見え、従来とは違った視覚効果を得ることができ、人目を惹くディスプレー効果を得ることが可能となる。なお、模様は文字などで構成されたものであっても良い。
【００１０】
本願発明の陳列用台座では、透明部材を反射基板の他方の面上に積み重ねるが、透明部材と反射基板は接着剤層を介して固着しても良いし、離脱自在に透明部材を反射基板上に単に積み重ねるだけでも良い。
【発明の効果】
【００１１】
本発明の請求項１に係る発明の陳列用台座は、前述したような構造なので、ディスプレーとしての視覚が、透明部材の一方の面に形成した模様と反射基板における反射層にできた前記模様の虚像による上下に重なった模様の視覚と、反射面に写る商品の透明部分に写る輪郭がハッキリした虚像部分と、半透明部分に写る輪郭がぼやけた虚像部分とで形成される視覚により、従来にない視覚効果が得られ、人目を惹くようなディスプレー効果を得ることができる。
【００１２】
本発明の請求項２に係る発明の陳列用台座は、前述したような構造なので、透明部材の一方の面に形成した模様と反射基板における反射面に写った前記模様の虚像による上下に重なった模様がある程度の距離が離れて存在するのが視覚できるので、より従来とは違った視覚効果が得られ、人目を惹くようなディスプレー効果を得ることができる。
【００１３】
本発明の請求項３に係る発明の陳列用台座は、請求項１に係る発明の陳列用台座および請求項２に係る発明の陳列用台座を視覚効果が相違した陳列用台座を構成するブロックとし、そうした各々のブロックを複数並列して陳列用台座とするので、より一層、従来とは違った視覚効果が得られ、人目を惹くようなディスプレー効果を得ることができる。
【発明を実施するための最良の形態】
【００１４】
本発明の陳列用台座は、一方の面に半透明状で形成した模様を有した透明部材を、一方の面に反射層を有した反射基板上に積み重ねてなるものであるが、陳列用台座上に、商品を直に又は商品を陳列するための陳列スタンドや陳列ケースを乗せるので、取り扱い上、前記記透明部材は割れやすい硝子版よりは合成樹脂材製のものが良く、反射基板も硝子状の鏡より合成樹脂材で反射面を設けたものが良い。
【実施例】
【００１５】
本発明の陳列用台座の実施例について、以下、図面を用いて説明するが、本発明はこれに限定されるものではない。尚、同じ部材、同じ箇所を示すものには同じ符号を付してある
図１〜図３に示す請求項１に係る発明の実施例の陳列用台座１は、厚さが２ｍｍの透明なアクリル板の一方の面２ａを銀引き層による反射層３を有した反射基板２と、厚さが１０ｍｍの透明なアクリル板からなる透明部材４とで構成されている。透明部材４の一方の面４ａには、表面を８個に等分した方形状の升目模様で、隣り合わない４つの升目を微細な凹凸状とすることで半透明状とした模様５を施してある。この模様５を施した透明部材４を、図２に示すように一方の面４ａを前記反射基板２の反射層３と反対側の他方の面２ｂに対向させて前記反射基板２上に積み重ねて、透明な接着剤（図示せず）により固着してある。この陳列用台座を斜め上方向から見ると、図１に示すように、反射基板２に形成された模様５の虚像６を見ることができ、透明部材４の模様５と反射基板２にできた虚像６とが上下に離間した状態で２つ重ねった視覚となる。
【００１６】
こうした作用により、図３に示すように、本実施例の陳列用台座１に商品（例えば筆記具）７を置くと、反射基板２にできる商品７の虚像８が、透明部分に写る輪郭がハッキリした虚像部分８ａと半透明部分に写る輪郭がぼやけた虚像部分８ｂとなり、こうした商品７の実像と虚像８とで形成される視覚により、人目を惹くようなディスプレー効果を得ることができる。
【００１７】
図４〜図６に示す請求項２に係る発明の実施例の陳列用台座１１は、前記実施例の陳列用台座１と同様の反射基板２と透明部材４とで構成されている。透明部材４の一方の面４ａには、前記実施例の陳列用台座１と同様の模様１２を施してあり、透明部材４を、図５に示すように模様を施した一方の面４ａが外側に向くように（模様を施していない他方の面４ｂが反射基板２の反射層３と反対側の他方の面２ｂと対向するように）反射基板２上に積み重ねて、透明な接着剤（図示せず）により固着してある。この陳列用台座を斜め方向から見ると、図４に示すように、反射基板２の反射層３上に模様１２の虚像１３を見ることができ、透明部材４の模様５と反射基板２にできた虚像１３とが上下に離間した状態で２つ重ねった視覚となる。
【００１８】
こうした作用により、図６に示すように、前記実施例の陳列用台座１と同様に本実施例の陳列用台座１１に商品７を置くと、反射基板２にできる商品７の虚像１４が、透明部分に写る輪郭がハッキリした虚像部分１４ａと半透明部分に写る輪郭がぼやけた虚像部分１４ｂとなり、こうした商品７の実像と虚像１４とで形成される視覚により、人目を惹くようなディスプレー効果を得ることができる。前記請求項１に係る発明の実施例の陳列用台座１より模様１１と虚像１２との離間距離が長いので、前記陳列用台座１よりディスプレー効果は大きいものとなる。
【００１９】
図７に示す請求項３に係る発明の実施例の陳列用台座２１は、前記実施例の陳列用台座１と同様に形成した、透明部材４を、他方の面４ｂが外側に向くように（模様５を施した一方の面４ａを反射基板に対向させて）反射基板（図示せず）上に積み重ねてなるブロック２２が２つと、前記実施例の陳列用台座１１と同様に形成した、透明部材４を、模様１２を施した一方の面４ａが外側に向くように反射基板（図示せず）上に積み重ねてなるブロック２３が２つとで構成される。
【００２０】
本実施例の陳列用台座２１は、図７に示すように、前記互いのブロック２２、２３を同じブロックが斜めに位置するように配設して、四角形状に並列してなるものである。個々のブロック２２、２３どうしは固定されていない。本実施例で同じブロックが斜めに位置するように配設したが、各々のブロックを一列状に配列しても良く、配列の仕方は特に特定されない。また、各ブロックにおける透明部材にに施される模様も同一である必要がなく、各々のブロックの模様が異なっていても良い。
【００２１】
図示していないが、本実施例の陳列用台座２１に商品を置くと、請求項１及び２に係る発明の陳列用台座１、１１と同様に、各ブロックにおける反射層に写る商品が、透明部分に写る輪郭がハッキリした虚像部分と、半透明部分に写る輪郭がぼやけた虚像部分とで形成される視覚により、人目を惹くようなディスプレー効果を得ることができ、さらに、各々のブロックの配列の仕方により、模様のアレンジもいろいろ可能となり、よりディスプレー効果は大きいものとなる。
【産業上の利用可能性】
【００２２】
本願発明の陳列用台座は、その上に商品を陳列スタンドや陳列ケースを介して、あるいは直に置くことで、陳列用台座の透明部材に施された模様と、反射基板にできる虚像により、布や花等で装飾することなくディスプレー効果を得ることができ、他の部材を用いてディスプレーする必要がないので、陳列スペースが小さな場所に有効である。また、花瓶敷きやコップ等を乗せるコースターにも利用することができる。
【図面の簡単な説明】
【００２３】
【図１】請求項１に係る発明の実施例の陳列用台座の斜視図である。
【図２】図１における、Ａ−Ａ線部分の断面を示す、拡大概略図である。
【図３】請求項１に係る発明の実施例の陳列用台座の、使用状態を示した図である。
【図４】請求項２に係る発明の実施例の陳列用台座の斜視図である。
【図５】図４における、Ｂ−Ｂ線部分の断面を示す、拡大概略図である。
【図６】請求項２に係る発明の実施例の陳列用台座の、使用状態を示した図である。
【図７】請求項３に係る発明の実施例の陳列用台座の平面図である。
【符号の説明】
【００２４】
１、１１、２１  陳列用台座
２  反射基板
３  反射層
４  透明部材
５、１２  模様
６、１３  虚像
２２、２３  ブロック
【図１】
2007061215.tif 000003
【図２】
2007061215.tif 000004
【図３】
2007061215.tif 000005
【図４】
2007061215.tif 000006
【図５】
2007061215.tif 000007
【図６】
2007061215.tif 000008
【図７】
2007061215.tif 000009